(57)【要約】【課題】携帯機器の使用感を損なわずに低消費電力化を行う。【解決手段】非常モードに設定されると、透過型ＬＣＤパネルであるサブＬＣＤパネル１２の表示が禁止され、バックライト１３が消灯し、調光フィルム１４は電圧印加されずに光の透過率が上がり、透明になる。この状態では、サブＬＣＤパネル１２から入射した外光が、透明な調光フィルム１４を介してメインＬＣＤパネル１１の背面に照射され、メインＬＣＤパネル１１の表示が認識可能になる。【選択図】  図１
2008287162.tif 000002
【特許請求の範囲】
【請求項１】
筐体の前面に配置された透過型表示パネルと、
前記筐体の背面に配置された表示パネルであって、少なくとも一部が前記透過型表示パネルと平面的に重なるように配置された表示パネルと、
前記透過型表示パネルと前記表示パネルの間に配置され、電気的に光の透過率の調整が可能な調光手段と、
前記調光手段の光の透過率を変更する透過率切替え手段と、
前記透過型表示パネルと前記調光手段の間から前記透過型表示パネルに光を照射するバックライトと、
前記バックライトの点灯及び消灯を切替えるバックライト制御手段と、を備え、
前記バックライトを点灯して前記調光手段の光の透過率を下げることにより前記バックライトの光を拡散して前記透過型表示パネルへ光を射出させ、又は前記バックライトを消灯して前記調光手段の光の透過率を上げることにより前記表示パネルを介して入射した外光を前記透過型表示パネルの背面に照射させることを特徴とする携帯機器。
【請求項２】
通常モードと省電力モードを切替えるモード切替手段と、
前記通常モードに設定されると前記バックライトを点灯して前記調光手段の光の透過率を下げることにより前記バックライトの光を拡散して前記透過型表示パネルへ光を射出させ、前記省電力モードに設定されると前記バックライトを消灯して前記調光手段の光の透過率を上げることにより前記表示パネルを介して入射した外光を前記透過型表示パネルの背面に照射させる制御手段と、
を備えたことを特徴とする請求項１に記載の携帯機器。
【請求項３】
前記モード切替手段は、前記通常モードと前記省電力モードを手動で切替えることを特徴とする請求項２に記載の携帯機器。
【請求項４】
バッテリーを含む電源部と、
前記バッテリーの残容量を検出する残容量検出手段と、を備え、
前記モード切替手段は、前記残容量検出手段が前記バッテリーの残容量低下を検出すると前記省電力モードに切替えることを特徴とする請求項２又は３に記載の携帯機器。
【請求項５】
前記調光手段は、電力供給を行うことにより光の透過率が下がることを特徴とする請求項１から４のいずれかに記載の携帯機器。
【請求項６】
前記調光手段は、調光フィルム、電子ペーパー、透明ＥＬ、透明導電性フィルムのうちいずれか１つを含むことを特徴とする請求項１から５のいずれかに記載の携帯機器。
【請求項７】
バッテリーを含む電源部と、
前記透過型表示パネルと前記表示パネルの間に配置された、光を透過する太陽電池を備え、
前記太陽電池に外光が照射することにより発生する起電力を前記バッテリーに充電する光充電手段と、
を備えたことを特徴とする請求項１から６のいずれかに記載の携帯機器。
【請求項８】
前記携帯機器は携帯電話であり、
バッテリーを含む電源部と、
着信を報知するためのバイブレータ用モータと、
前記バイブレータ用モータの軸に設けられた第１の歯車と、
前記第１の歯車に噛合可能な第２の歯車と、
前記第２の歯車を回転させるための回転操作手段と、
前記回転操作手段を回転させてバイブレータ用モータを回転させることにより発生する起電力を前記バッテリーに充電する回転充電手段と、
を備えたことを特徴とする請求項１から７のいずれかに記載の携帯機器。
【請求項９】
前記回転操作手段は、アンテナ軸を中心に回転可能であり、少なくとも一部が筐体から露出したロッドアンテナであることを特徴とする請求項８に記載の携帯機器。
【発明の詳細な説明】
【技術分野】
【０００１】
本発明は携帯機器に係り、特に使用感を損なわずに低消費電力化を行う携帯機器に関する。
【背景技術】
【０００２】
外出先で携帯電話のような携帯機器の電池が消耗してしまうことがある。このような場合には、予め準備しておいた予備の電池に交換する、または専用充電器を持ち歩き、電源を借りて充電する、または店頭で売られている使い捨ての簡易充電器を購入する等の方法で対応する必要がある。しかし、予備の電池や専用充電器を持ち歩くのは不便であり、また専用充電器は電源を利用できる場所でしか充電をすることができない。さらに災害時等のような場合には、電源の確保や簡易充電器の確保は困難であり、携帯機器の電池を充電することができず、携帯機器を利用することができなくなる可能性があった。
【０００３】
このように、携帯機器の利用ができなくなることを回避するために、特許文献１には、明らかに表示手段が使用されない場合にはバックライトを確実に消灯して、節電効果を向上させることができる携帯電話機について記載されている。また、特許文献２には、携帯機器の本体上部やその側面に沿って備え付けられた太陽電池パネルによって、発電された電力を充電できる携帯電話について記載されている。また、特許文献３には、ロッドアンテナを内挿した押棒を携帯電話に押し込むことにより発電を行う携帯電話機について記載されている。
【特許文献１】特開２００３−２９８７３２号公報
【特許文献２】特開２００６−２２９７４１号公報
【特許文献３】特開平８−３０７３００号公報
【発明の開示】
【発明が解決しようとする課題】
【０００４】
しかしながら、特許文献１に記載の携帯電話機は、バックライトの点灯を禁止するものではないので、表示手段が使用されていると判断されるとバックライトが点灯し、災害時等のような非常時に節電優先にしたい場合であっても、電力が消費されてしまう。また、バックライトを消灯してしまうと、表示を読み取ることが困難になってしまう。
【０００５】
また、特許文献２に記載の携帯電話は、本体表面に太陽電池パネルを配置したため、カラーバリエーションが無くなり、デザイン上の制約が大きいという欠点があった。また、特許文献３に記載の携帯電話機は、押棒が伸縮するための空間の確保が必要であるという欠点があった。本発明はこのような事情に鑑みてなされたもので、使用感を損なわずに低消費電力化を行い、デザイン上の制約を受けることなく、広い空間を必要とせずに自己発電により電池を充電可能にすることにより、長時間の連続利用が可能な携帯機器を提供することを目的とする。
【課題を解決するための手段】
【０００６】
前記目的を達成するために請求項１に係る携帯機器は、筐体の前面に配置された透過型表示パネルと、前記筐体の背面に配置された表示パネルであって、少なくとも一部が前記透過型表示パネルと平面的に重なるように配置された表示パネルと、前記透過型表示パネルと前記表示パネルの間に配置され、電気的に光の透過率の調整が可能な調光手段と、前記調光手段の光の透過率を変更する透過率切替え手段と、前記透過型表示パネルと前記調光手段の間から前記透過型表示パネルに光を照射するバックライトと、前記バックライトの点灯及び消灯を切替えるバックライト制御手段とを備え、前記バックライトを点灯して前記調光手段の光の透過率を下げることにより前記バックライトの光を拡散して前記透過型表示パネルへ光を射出させ、又は前記バックライトを消灯して前記調光手段の光の透過率を上げることにより前記表示パネルを介して入射した外光を前記透過型表示パネルの背面に照射させることを特徴とする。
【０００７】
これにより、使用感を損なわずに低消費電力化を行うことができる。
【０００８】
請求項２に示すように請求項１に記載の携帯機器において、通常モードと省電力モードを切替えるモード切替手段と、前記通常モードに設定されると前記バックライトを点灯して前記調光手段の光の透過率を下げることにより前記バックライトの光を拡散して前記透過型表示パネルへ光を射出させ、前記省電力モードに設定されると前記バックライトを消灯して前記調光手段の光の透過率を上げることにより前記表示パネルを介して入射した外光を前記透過型表示パネルの背面に照射させる制御手段とを備えたことを特徴とする。
【０００９】
請求項３に示すように請求項２に記載の携帯機器において、前記モード切替手段は、前記通常モードと前記省電力モードを手動で切替えることを特徴とする。
【００１０】
これにより、使用感を損なわずに簡単に低消費電力化することができる。
【００１１】
請求項４に示すように請求項２又は３に記載の携帯機器において、バッテリーを含む電源部と、前記バッテリーの残容量を検出する残容量検出手段とを備え、前記モード切替手段は、前記残容量検出手段が前記バッテリーの残容量低下を検出すると前記省電力モードに切替えることを特徴とする。
【００１２】
これにより、適切な場合に低消費電力化することができる。
【００１３】
請求項５に示すように請求項１から４のいずれかに記載の携帯機器において、前記調光手段は、電力供給を行うことにより光の透過率が下がることを特徴とする。
【００１４】
これにより、さらに低消費電力化をすることができる。
【００１５】
請求項６に示すように請求項１から５のいずれかに記載の携帯機器において、前記調光手段は、調光フィルム、電子ペーパー、透明ＥＬ、透明導電性フィルムのうちいずれか１つを含むことを特徴とする。
【００１６】
これにより、簡単に透過率を切替えることができる。
【００１７】
請求項７に示すように請求項１から６のいずれかに記載の携帯機器において、バッテリーを含む電源部と、前記透過型表示パネルと前記表示パネルの間に配置された、光を透過する太陽電池を備え、前記太陽電池に外光が照射することにより発生する起電力を前記バッテリーに充電する光充電手段とを備えたことを特徴とする。
【００１８】
これにより、デザイン上の制約を受けずに、光を照射するだけで充電を行うことができる。
【００１９】
請求項８に示すように請求項１から７のいずれかに記載の携帯機器において、前記携帯機器は携帯電話であり、バッテリーを含む電源部と、着信を報知するためのバイブレータ用モータと、前記バイブレータ用モータの軸に設けられた第１の歯車と、前記第１の歯車に噛合可能な第２の歯車と、前記第２の歯車を回転させるための回転操作手段と、前記回転操作手段を回転させてバイブレータ用モータを回転させることにより発生する起電力を前記バッテリーに充電する回転充電手段とを備えたことを特徴とする。
【００２０】
これにより、空間の確保を必要とせずに、暗い場所でも充電することができる。
【００２１】
請求項９に示すように請求項８に記載の携帯機器において、前記回転操作手段は、アンテナ軸を中心に回転可能であり、少なくとも一部が筐体から露出したロッドアンテナであることを特徴とする。
【００２２】
これにより、充電専用の操作部材を追加せずに、充電機構を実現することができる。
【発明の効果】
【００２３】
本発明によれば、使用感を損なわずに低消費電力化を行い、デザイン上の制約を受けることなく、広い空間を必要とせずに自己発電により電池を充電可能にすることにより、長時間の連続利用が可能な携帯機器を提供することができる。
【発明を実施するための最良の形態】
【００２４】
以下、添付図面に従って本発明を実施するための最良の形態について説明する。
【００２５】
＜第１の実施の形態＞
図１（ａ）は、本発明に係る第１の実施の形態の携帯電話１の正面から見た斜視図である。また図１（ｃ）は、携帯電話１の背面から見た斜視図である。携帯電話１は、折り畳み可能な筐体１０の他、メインＬＣＤパネル１１、サブＬＣＤパネル１２、アンテナ１６、マイク１７、スピーカー１８、及び操作部１９を備えている。
【００２６】
また図１（ｂ）は、筐体１０の断面の概略図である。メインＬＣＤパネル１１及びサブＬＣＤパネル１２の間に、メインバックライト１３−１及びサブバックライト１３−２からなるバックライト１３、調光フィルム１４を備えている。
【００２７】
図２は、携帯電話１の内部構成の一例を示すブロック図である。前述の各エレメントの他、通話制御部２２、ＬＣＤ制御部２３、バックライト制御部２４、調光フィルム制御部２５、及びモード制御部２９から構成される制御部２１、送受信部３１、記憶部３２、ＬＣＤ駆動部３３、バックライト駆動部３４、及び調光フィルム駆動部３５から構成されている。
【００２８】
アンテナ１６はロッドアンテナであり、アンテナ１６及び送受信部３１は、通話制御部２２の制御に従って、携帯電話１と基地局との間の音声通信、電子メール等のデータ通信を行う。
【００２９】
操作部１９は、電話番号や電子メールのあて先や本文の入力、各種メニューの選択、設定の入力を行うカーソルキーを備えている。また、操作部１９を操作することにより、携帯電話１を後述する通常モードで使用するか、又は非常モードで使用するかを切替えることができる。
【００３０】
モード制御部２９は、操作部１９の操作に応じて、携帯電話１を通常モードで動作させるか、又は非常モードで動作させるかの制御を行う。
【００３１】
メインＬＣＤパネル１１及びサブＬＣＤパネル１２は透過型液晶パネルであり、平面的に重なるように配置されている。ＬＣＤ制御部２３は、操作部１９の入力に基づいて、ＬＣＤ駆動部３３を介してメインＬＣＤパネル１１及びサブＬＣＤパネル１２に表示をさせる。
【００３２】
バックライト１３はＬＥＤにより構成され、バックライト制御部２４は、バックライト駆動部３４を介して、メインＬＣＤパネル１１のバックライトであるメインバックライト１３−１、及びサブＬＣＤパネル１２のバックライトであるバックライト１３−２を駆動し、それぞれのＬＣＤパネルの背面から透過光を照射させ、メインＬＣＤパネル１１及びサブＬＣＤパネル１２の表示を認識可能にする。
【００３３】
調光フィルム１４は、透明フィルム、透明電極、及び印加電圧に応じて光の透過率が制御される高分子・液晶複合膜から構成されている。調光フィルム制御部２５は、調光フィルム駆動部３５を介して、調光フィルム１４の透過率を変更する。調光フィルム１４には、その層界面に微細な凹凸状の面が形成されている。調光フィルム駆動部３５により調光フィルム１４に電圧が印加されると、調光フィルム１４は透過率が下がり白色となり、調光フィルム１４はこの白色と層界面の凹凸により拡散板として作用する。
【００３４】
記憶部３２は、これらの携帯電話１の機能を実現するためのプログラムを格納している。
【００３５】
次に、携帯電話１の通常モード及び非常モードについて説明する。非常モードとは、バッテリーの消費をできるだけ抑制し、電池の延命化を図るモードである。前述したように、携帯電話１は、操作部１９を操作することにより、非常モードに設定することが可能である。
【００３６】
図３は、モードを判定してバックライト１３及び調光フィルム１４を制御する動作を示すフローチャートである。まず、着信待ち受け状態において、メインＬＣＤパネル１１及びサブＬＣＤパネル１２の表示をオフすると共に、バックライト１３及び調光フィルム１４をオフにする（ステップＳ３１）。次に、携帯電話１の操作が行われたか否かの判定を行う（ステップＳ３２）。操作部１９が操作されたと判断すると、ステップＳ３４へ進む。操作されていないと判断すると、次に着信があったか否かの判定を行う（ステップＳ３３）。着信がないと判断されると、再びステップＳ３２へ戻る。
【００３７】
ステップＳ３２において操作されたと判断した場合、又はステップＳ３３において着信があったと判断した場合は、次に、非常モードが設定されているか否かの判定を行う（ステップＳ３４）。非常モードに設定されていないと判断した場合は、ＬＣＤ制御部２３はＬＣＤ駆動部３３を介してメインＬＣＤパネル１１又はサブＬＣＤパネル１２のうち所望のＬＣＤパネルに表示をさせ、バックライト制御部２４はバックライト駆動部３４を介してメインバックライト１３−１又はサブバックライト１３−２のうち表示を行ったＬＣＤパネルのバックライトを点灯させ、また調光フィルム制御部２５は調光フィルム駆動部３５を介して調光フィルム１４に電圧印加を行う。調光フィルム１４は電圧印加されることにより光の透過率が下がり、白色になる（ステップＳ３６）。調光フィルム１４が白色になることにより、バックライト１３の光が調光フィルム１４により拡散され、メインＬＣＤパネル１１やサブＬＣＤパネル１２の背面から均一に透過光が照射されるようになる。
【００３８】
非常モードに設定されていると判断した場合は、ＬＣＤ制御部２３はＬＣＤ駆動部３３を介してメインＬＣＤパネル１１に表示をさせ、サブＬＣＤパネル１２の表示を禁止する。バックライト制御部２４はバックライト１３を消灯し、また調光フィルム制御部２５は調光フィルム１４への電圧印加を行わない。このため調光フィルム１４は光の透過率が上がり、透明になる（ステップＳ３５）。前述したように、サブＬＣＤパネル１２は透過型液晶パネルであるために、図１に示すように、サブＬＣＤパネル１２から入射した外光が、透明な調光フィルム１４を介してメインＬＣＤパネル１１の背面に照射される。このように、非常モードに設定された場合は、携帯電話１が使用されるときであっても、バックライト１３及び調光フィルム１４には電力供給を停止し、メインＬＣＤパネル１１はサブＬＣＤパネル１２を介した外光を光源として取り入れることにより、表示が認識可能になる。
【００３９】
サブＬＣＤパネル１２がメインＬＣＤパネル１１より小さい場合は、メインＬＣＤパネル１１の一部分にしか外光が照射されない。この場合は、メインＬＣＤパネル１１とサブＬＣＤパネル１２の重なり部分だけに表示を行ってもよい。
【００４０】
調光フィルム１４に拡散板の働きを持たせずに、メインＬＣＤパネル１１と調光フィルム１４の間、及びサブＬＣＤパネル１２と調光フィルム１４の間の少なくとも一方に、バックライト１３−１及びバックライト１３−２の光を散乱させ、ＬＣＤパネルに均一に光を照射するための拡散板を設けてもよい。また、バックライト１３から光を導光、拡散するための導光板を設けてもよい。この場合、拡散板や導光板は光を透過する必要がある。
【００４１】
メインＬＣＤパネル１１は、ＬＣＤパネルでなくともよく、透過型でバックライトが必要なものであれば何でもよい。
【００４２】
サブＬＣＤパネル１２は、ＬＣＤパネルでなくともよく、非表示状態で光を透過するものであれば何でもよい。例えば、電子ペーパー、透明有機ＥＬ、透明無機ＥＬ等を用いてもよい。これらを用いた場合には、バックライトが不要となる。
【００４３】
また調光フィルム１４の代わりに、別の素材を用いてもよい。例えば、電子ペーパー、透明有機ＥＬ、透明無機ＥＬ、透明導電性フィルム等、電気的に光の透過率の調整が可能なものであれば何でもよい。
【００４４】
本発明に係る携帯機器は携帯電話でなくてもよく、ＬＣＤパネルの背面に表示パネルを備えている機器ならば他の機器でもよい。例えば、ＰＤＡのような携帯機器でもよい。
【００４５】
＜第２の実施の形態＞
本発明に係る第２の実施の形態の携帯電話１は、電池電圧が低下すると自動的に非常モードに切り替わる。
【００４６】
図４は、携帯電話１の内部構成の一例を示すブロック図である。なお、図２のブロック図と共通する部分には同一の符号を付し、その詳細な説明は省略する。図２に示すブロック図とは、電圧検出部３９を備えたところが異なっている。電圧検出部３９は、携帯電話１の図示しないバッテリーの電圧を検出する。
【００４７】
次に、携帯電話１の非常モードについて説明する。図５は、モードを判定してバックライト１３及び調光フィルム１４を制御する動作を示すフローチャートである。なお、図３のフローチャートと共通する部分には同一の符号を付し、その詳細な説明は省略する。
【００４８】
第１の実施の形態と同様に、着信待ち受け状態において、メインＬＣＤパネル１１及びサブＬＣＤパネル１２の表示をオフすると共に、バックライト１３及び調光フィルム１４をオフにする（ステップＳ３１）。次に、携帯電話１の操作が行われたか否かの判定を行う（ステップＳ３２）。操作部１９が操作されたと判断すると、ステップＳ５１へ進む。操作されていないと判断すると、次に着信があったか否かの判定を行う（ステップＳ３３）。着信がないと判断されると、再びステップＳ３２へ戻る。
【００４９】
ステップＳ３２において操作されたと判断した場合、又はステップＳ３３において着信があったと判断した場合は、バッテリーの残容量が十分であるか否かの判定を行う（ステップＳ５１）。バッテリーの残容量の導出は、電圧検出部３９がバッテリー電圧を検出することにより行う。
【００５０】
電圧検出部３９がバッテリーの電圧が十分であると判断すると、モード制御部２９は携帯電話１を通常モードに設定する（ステップＳ５２）。通常モードに設定されると、メインＬＣＤパネル１１又はサブＬＣＤパネル１２のうち所望のＬＣＤパネルに表示を行い、メインバックライト１３−１又はサブバックライト１３−２のうち表示を行ったＬＣＤパネルのバックライトが点灯し、また調光フィルム１４は電圧印加されることにより、光の透過率が下がり、白色になる（ステップＳ３６）。調光フィルム１４が白色になることにより、バックライト１３の光が調光フィルム１４により拡散され、メインＬＣＤパネル１１やサブＬＣＤパネル１２の背面から均一に透過光が照射されるようになる。
【００５１】
電圧検出部３９がバッテリーの電圧が不十分であると判断すると、モード制御部２９は携帯電話１を非常モードに設定する（ステップＳ５３）。非常モードに設定されると、サブＬＣＤパネル１２の表示が禁止され、バックライト１３が消灯し、また調光フィルム１４は電圧印加されずに光の透過率が上がり、透明になる（ステップＳ３５）。よってサブＬＣＤパネル１２から入射した外光が、透明な調光フィルム１４を介してメインＬＣＤパネル１１の背面に照射され、メインＬＣＤパネル１１の表示が認識可能になる。
【００５２】
本実施の形態では、電圧検出部３９がバッテリーの電圧が十分であると判断すると、モード制御部２９が通常モードに設定したが、第１の実施の形態のように操作部１９によりモード切替え可能にしておき、電圧検出部３９がバッテリーの電圧が十分であると判断したときに、操作部１９により選択されたモードに設定してもよい。
【００５３】
また本実施の形態では、電圧検出を行うことによりバッテリーの残容量を導出したが、他の方法を用いて、導出してもよい。例えば、充電完了後の使用時間から算出してもよい。
【００５４】
＜第３の実施の形態＞
第３の実施の形態の携帯電話１は、筐体内部に備えた太陽電池により、バッテリーに充電を行うことが可能である。
【００５５】
図６（ａ）は、本発明に係る第３の実施の形態の携帯電話１の正面から見た斜視図であり、図６（ｃ）は、携帯電話１の背面から見た斜視図であり、図６（ｂ）は、筐体１０の断面の概略図である。図１に示す第１の実施の形態の携帯電話１とは、メインＬＣＤパネル１１及びサブＬＣＤパネル１２の間に太陽電池１５を備えたところが異なっている。太陽電池１５は、可視光を透過し可視光以外の波長の光で光起電力を発生する、透明酸化物半導体デバイスがガラス基板上に形成されている。細線状に形成した薄膜太陽電池をガラス基板表面に櫛歯状に配置し、薄膜が形成されていない部分を光が透過するように構成した太陽電池を用いてもよい。太陽電池１５は、発電するための受光面が調光フィルム１４側になるように配置されている。
【００５６】
図７は、携帯電話１の内部構成の一例を示すブロック図である。なお、図２のブロック図と共通する部分には同一の符号を付し、その詳細な説明は省略する。図２に示すブロック図とは、前述の太陽電池１５の他、充電部４０を備えたところが異なっている。充電部４０は、太陽電池１５において発生した起電力を、図示しないバッテリーに充電する。またバッテリーが満充電の場合に、太陽電池１５からの充電を禁止してバッテリーの過充電を防止する機能を備えている。
【００５７】
次に、太陽電池１５による充電動作について説明する。第１の実施の形態と同様に、携帯電話１は、操作部１９を操作することにより、通常モードと非常モードとを切替えることが可能である。
【００５８】
着信待ち受け状態では、メインＬＣＤパネル１１及びサブＬＣＤパネル１２の表示をオフすると共に、バックライト１３及び調光フィルム１４をオフにする。図６に示すように、この状態では、非表示のサブＬＣＤパネル１２から入射した外光が、電圧印加をオフすることにより透過率の上がった状態の調光フィルム１４を介して、太陽電池１５の受光面に照射される。この外光により太陽電池１５には起電力が発生し、充電部４０はこの起電力を図示しないバッテリーに充電する。
【００５９】
また非常モードにおいては、着信待ち受け状態からメインＬＣＤパネル１１に表示を行うところだけが異なる。バックライト１３及び調光フィルム１４はオフし、サブＬＣＤパネル１２から入射する外光がメインＬＣＤパネル１１の光源となり、メインＬＣＤパネル１１の表示が認識可能となる（ステップＳ６５）。また、太陽電池１５にも同様にサブＬＣＤパネル１２から入射した外光が照射され、充電部４０は充電を続けることが可能である。
【００６０】
通常モードにおいては、メインＬＣＤパネル１１の表示を行うと同時にバックライト１３及び調光フィルム１４をオンし、調光フィルム１４によるバックライト１３の拡散光がメインＬＣＤパネル１１の光源となり、メインＬＣＤパネル１１の表示が認識可能となる（ステップＳ６６）。このとき、太陽電池１５は、この調光フィルム１４によるバックライト１３の拡散光により発電を行い、充電部４０は図示しないバッテリーを充電する。
【００６１】
このように、メインＬＣＤパネル１１と調光フィルム１４の間に配置した太陽電池１５を用いて充電を行うことにより、デザイン上の制約を受けずに、バッテリーの延命化を行うことが可能となる。
【００６２】
本実施の形態では、太陽電池１５をメインＬＣＤパネル１１と調光フィルム１４の間に、発電面を調光フィルム１４側に向けて配置したが、サブＬＣＤパネル１２と調光フィルム１４の間に配置してもよいし、発電面をＬＣＤパネル側に向けて配置してもよい。またメインＬＣＤパネル１１と調光フィルム１４の間と、サブＬＣＤパネル１２と調光フィルム１４の間の２ヶ所に、それぞれ異なる太陽電池１５を配置してもよい。
【００６３】
＜第４の実施の形態＞
第４の実施の形態の携帯電話１は、アンテナを用いて外部から強制的にバイブレータ用モータを回転させることにより、電磁誘導起電力を発生させ、この起電力をバッテリーに充電することが可能である。
【００６４】
図８、図９、及び図１０を用いて、第４の実施の形態の携帯電話１の内部構成について説明する。図８は、携帯電話１の内部構成の一例を示すブロック図である。なお、図２のブロック図と共通する部分には同一の符号を付し、その詳細な説明は省略する。図２に示すブロック図とは、バイブレータ制御部２６、バイブレータ駆動部３６、バイブレータ用モータ３７、及び充電部４０を備えたところが異なっている。図９及び図１０は、アンテナ１６とバイブレータ用モータ３７の噛合機構について示した図である。
【００６５】
バイブレータ制御部２６は、電話の着信時等に、必要に応じてバイブレータ駆動部３６を介してバイブレータ用モータ３７を駆動させる。バイブレータ用モータ３７の回転軸には偏心おもり５１が備えられ、バイブレータ用モータ３７が回転することにより携帯電話１が振動し、ユーザに着信等を報知することができる。バイブレータ用モータ３７は小型化、軽量化のためにコアレスモータを用いている。
【００６６】
また、バイブレータ用モータ３７の回転軸とアンテナ１６はそれぞれ噛合可能に形成されたギアを有しており、噛合した状態でアンテナ１６を回転することによりバイブレータ用モータ３７を回転させ、バイブレータ用モータ３７に電磁誘導起電力を発生させることが可能である。この起電力は、充電部４０により図示しないバッテリーに充電することができる。また充電部４０は、バッテリーが満充電の場合にバイブレータ用モータ３７からの充電を禁止してバッテリーの過充電を防止する機能を備えている。
【００６７】
次に、アンテナ１６とバイブレータ用モータ３７の噛合機構について説明する。図９に示すように、この噛合機構は、バイブレータ用モータ３７の回転軸に備えられた偏心おもり５１、第一の歯車５２、アンテナ１６に備えられた第二の歯車５３、及び筐体１０の側面に設けられ、第二の歯車を移動させるためのスライドスイッチ５５から構成されている。
【００６８】
図９（ａ）は、通常使用状態を示しており、図９（ｂ）は、バイブレータ用モータ３７による充電が可能な状態を示している。図９（ａ）で示す通常使用状態から図８（ｂ）で示す充電可能状態へ、スライドスイッチ５５を図面左方向へスライドさせると、スライドスイッチ５５の凹部に嵌入した第二の歯車５３がスライドスイッチ５５と共に左方向へ従動する。このとき第一の歯車５２と第二の歯車５３が噛合する。
【００６９】
図１０に示すように、この状態で筐体１０から露出したアンテナ１６をアンテナ軸を中心に回転させると、アンテナ１６に備えられた第二の歯車が回転し、歯車の噛合により第一の歯車が回転し、これによりバイブレータ用モータ３７が回転をする。前述したように、バイブレータ用モータ３７が回転することにより発生した起電力は、充電部４０により図示しないバッテリーへ充電される。このように構成することにより、暗い場所でも充電が可能となり、操作部材としてアンテナ１６を用いていることから充電専用の操作部材が不要となり、またアンテナ１６を回転させるだけで充電可能なため充電を行うための空間の確保も不要となる。
【００７０】
アンテナ１６を回転することにより充電する場合は、電話着信等によるバイブレータの回転を禁止してもよい。この場合は、スライドスイッチ５５に連動させてバイブレータを禁止し、電話の着信を音で報知するようにする。
【００７１】
またバッテリーが満充電のときは、メインＬＣＤパネル１１やサブＬＣＤパネル１２を用いて、満充電であることをユーザに告知してもよい。バッテリーが満充電の場合は、前述したように過充電を防止する機能により、アンテナ１６を回転させてもそれ以上の充電を行わないためである。
【図面の簡単な説明】
【００７２】
【図１】図１は、本発明に係る第１の実施の形態の携帯電話１の斜視図と断面図である。
【図２】図２は、第１の実施の形態の携帯電話１の内部構成の一例を示すブロック図である。
【図３】図３は、携帯電話１の動作を示すフローチャートである。
【図４】図４は、第２の実施の形態の携帯電話１の内部構成の一例を示すブロック図である。
【図５】図５は、携帯電話１の動作を示すフローチャートである。
【図６】図６は、本発明に係る第２の実施の形態の携帯電話１の斜視図と断面図である。
【図７】図７は、第３の実施の形態の携帯電話１の内部構成の一例を示すブロック図である。
【図８】図８は、第４の実施の形態の携帯電話１の内部構成の一例を示すブロック図である。
【図９】図９は、アンテナ１６とバイブレータ用モータ３７の噛合機構について示した図である。
【図１０】図１０は、アンテナ１６とバイブレータ用モータ３７の噛合機構と、アンテナの回転について示した図である。
【符号の説明】
【００７３】
１…携帯電話、１０…筐体、１１…メインＬＣＤパネル、１２…サブＬＣＤパネル、１３…バックライト、１４…調光フィルム、１５…太陽電池、１６…アンテナ、１９…操作部、２３…ＬＣＤ制御部、２４…バックライト制御部、２５…調光フィルム制御部、２６…バイブレータ制御部、２９…モード制御部、３３…ＬＣＤ駆動部、３４…バックライト駆動部、３５…調光フィルム駆動部、３６…バイブレータ駆動部、３７…バイブレータ用モータ、３９…電圧検出部、４０…充電部、５１…偏心おもり、５２…第一の歯車、５３…第二の歯車、５５…スライドスイッチ
【図１】
2008287162.tif 000003
【図２】
2008287162.tif 000004
【図３】
2008287162.tif 000005
【図４】
2008287162.tif 000006
【図５】
2008287162.tif 000007
【図６】
2008287162.tif 000008
【図７】
2008287162.tif 000009
【図８】
2008287162.tif 000010
【図９】
2008287162.tif 000011
【図１０】
2008287162.tif 000012